(57)【特許請求の範囲】
【請求項１】
上端開口を有する有底筒状体と、上記開口を塞ぐように配置された蓋とを有し、上記蓋が互いにその上面が接近する方向に回動自在に枢支された２個の蓋部分に分割されており、蓋部分が上記有底筒状体によって回動自在に枢支されていることを特徴とする開閉蓋を有するごみ箱。
【請求項２】
上記分割された蓋部分の下面が互いに接近する方向に回動することを阻止する阻止部分を有することを特徴とする請求項１記載の開閉蓋を有するごみ箱。
【請求項３】
上記蓋部分にはこれを引き上げるように操作者が操作できる部分が設けられていることを特徴とする請求項１または２記載の開閉蓋を有するごみ箱。
【発明の詳細な説明】
【０００１】
【発明の属する技術分野】
本発明は開閉蓋を有するごみ箱、特に、ごみの投入が容易な開閉蓋を有するごみ箱に関するものである。
【０００２】
【従来の技術】
図１０は従来の開閉蓋を有するごみ箱を示し、１及び２は、互いに嵌合されて筒状の筒状体を形成する上面を開放した上部筒状体及び下部有底筒状体、３は上記上部筒状体１の開放上面を塞ぐよう上記開放上面内に配置された一枚の板状の蓋、４はこの蓋３の中間部側面を上記上部筒状体１の上端内側面に回動自在に枢支する枢支部であり、上記蓋３の一端部を矢印に示すように上部筒状体１内に押し下げることによって他端部をシーソー状に上記上部筒状体１外に押し上げ、この結果上記上部筒状体１の上面の一方が開放され、これからごみをごみ箱内に投入できるようにされている。
【０００３】
【発明が解決しようとする課題】
然しながら、上記従来の開閉蓋を有するごみ箱においては、図１１に示すようにごみ箱内に投入されたごみ５が上部筒状体１のある程度上端近くに達するようになれば、このごみ５に邪魔されて蓋３の一端部を押し下げることができなくなり、蓋３の他端部が上方に移動しないため上端開口を開くことができず、それ以上のごみの投入が不可能となるためごみ箱としてごみ収容能力が劣るようになる欠点があった。
【０００４】
本発明は上記の欠点を除くようにしたものである。
【０００５】
【課題を解決するための手段】
本発明の開閉蓋を有するごみ箱は、上端開口を有する有底筒状体と、上記開口を塞ぐように配置された蓋とを有し、上記蓋が互いにその上面が接近する方向に回動自在に枢支された２個の蓋部分に分割されており、蓋部分が上記有底筒状体によって回動自在に枢支されていることを特徴とする。
【０００６】
また、上記分割された蓋部分の下面が互いに接近する方向に回動することを阻止する阻止部分を有することを特徴とする。
【０００７】
また、上記蓋部分にはこれを引き上げるように操作者が操作できる部分が設けられていることを特徴とする。
【０００８】
【発明の実施の形態】
以下図面によって本発明の実施例を説明する。
【０００９】
本発明においては図１に示すように上記蓋３を一端側と他端側蓋部分３ａ，３ｂに２分し、図２に示すように、これらが常時は互いに一体の板状となって従来と同様シーソー状に回動して上部筒状体１の上面を開き得るようにすると共に、図３に示すように各蓋部分３ａ，３ｂが互いに他の蓋部分の上面に接するよう折り畳み自在ならしめる。
【００１０】
本発明の開閉蓋を有するごみ箱は上記のような構成であるから、図４に示すようにごみ箱内に投入されたごみ５が上部筒状体１のある程度上端近くに達するようになり、このごみ５に邪魔されて例えば蓋３の他端側蓋部分３ｂを押し下げることができない状態になっても蓋３の一端側蓋部分３ａを蓋３の他端側蓋部分３ｂに相対的に上方に折り畳めば上部筒状体１の開口を開くことができるようになり、それ以上のごみの投入が可能となるためごみ箱としてのごみ収容能力を十分発揮できるようになる。
【００１１】
本発明の開閉蓋を有するごみ箱において、上記蓋３の一端側及び他端側蓋部分３ａ，３ｂを互いに折り畳み得るようにするためには、例えば図５及び図６に示すように上記蓋部分３ａ，３ｂを夫々４辺を直角に折り曲げた箱状のものとし、互いに接する蓋部分３ａ，３ｂの一方を凹形、他方を凸形として互いに入れ子式に入り込むようにすると共に、図７に示すように一方の蓋部分３ａの上記凹形によって形成された耳部６に貫通孔７をあけ、他方の蓋部分３ｂの凸形とした部分８の両側外面に枢支ピン９を形成し、この枢支ピン９を上記貫通孔７の内側に嵌入せしめ、この結果上記一方及び他方の蓋部分３ａ，３ｂをその上面同志が互いに接するように折り畳み得るようにする。
【００１２】
また、上記貫通孔７の外側には上記上部筒状体１の内側面から突出せしめた枢支ピン１０を嵌入せしめ、上記一方の蓋部分３ａが上記上部筒状体１に相対的に回動自在ならしめる。
【００１３】
なお、上記貫通孔７は上記一方の蓋部分３ａの両側の耳部６に設け、これに対応する枢支ピン９及び１０を夫々他方の蓋部分３ｂの両側外面及び上記上部筒状体１の両側内面に設けるのが好ましいが、剛性が十分であれば一側のみに設けても良い。
【００１４】
また、上記枢支ピン９を上記耳部６の内面に突設し、これを上記部分８に形成した孔内に嵌入せしめるようにしても良い。
【００１５】
上記枢支ピン９，１０の代りに上記上部筒状体１、一方の蓋部分３ａの貫通孔７及び他方の蓋部分３ｂの凸形部分８を貫通する一本のピンを用いても良い。
【００１６】
また、上記一方及び他方の蓋部分３ａ，３ｂが図６に示すように一線状に配列されたとき、図８に示すように直角に折り曲げられた４辺のうち互いに対向する位置となる辺同志１１ａ，１１ｂが互いに接し一方及び他方の蓋部分３ａ，３ｂの上記と逆方向の折り畳みが阻止されるようにする。
【００１７】
なお、図７に示すように上記辺１１ａ，１１ｂの一方に切欠け溝１２ａ，他方にこの切欠け溝１２ａに嵌入する突片１２ｂを設け、これらが互いに衝合されるようにすれば、上記逆方向の折り畳みを確実に阻止できるようになる。
【００１８】
図９は本発明の他の実施例を示し、この例においては一方及び他方の蓋部分３ａ，３ｂが平面から見てその上半分と下半分がその中間部を境に互いに入れ子状に入り込む形とし、上記中間部で互いに枢支ピン１３により折り畳み自在に枢支せしめ、上記一方及び他方の蓋部分３ａ，３ｂの一側及び他側に夫々枢支ピン１４ａ，１４ｂを突設し、上部筒状体１の両側に夫々設けた孔１５ａ，１５ｂに嵌合せしめる。
【００１９】
上記一方及び他方の蓋３ａ，３ｂにはその折り畳みを容易ならしめるため操作者の指を挿入できる孔１６または把手（図示せず）を設けるのが好ましい。
【００２０】
【発明の効果】
上記のように本発明の開閉蓋を有するごみ箱によれば、ごみ箱内に投入されたごみが上部筒状体のある程度上端近くに達するようになって、このごみに邪魔されて蓋の一端部を押し下げることができなくなった場合には、蓋の他端部を上方に折り畳んでごみ箱の上端開口を開くことができ、ごみ箱のごみ収容能力を100％利用できるようになる大きな利益がある。
【図面の簡単な説明】
【図１】本発明の開閉蓋を有するごみ箱の斜視図である。
【図２】図１に示すごみ箱の動作説明図である。
【図３】図１に示すごみ箱の動作説明図である。
【図４】図１に示すごみ箱の動作説明図である。
【図５】本発明の開閉蓋を有するごみ箱の蓋の斜視図である。
【図６】図５に示す蓋の底面の斜視図である。
【図７】本発明の開閉蓋を有するごみ箱の各部分を分離して示した一部拡大平面図である。
【図８】図５に示す蓋の一部の拡大断面図である。
【図９】本発明の開閉蓋を有するごみ箱の他の実施例を示す平面図である。
【図１０】従来の開閉蓋を有するごみ箱の斜視図である。
【図１１】図１０に示すごみ箱の動作説明図である。
【符号の説明】
１    上部筒状体
２    下部有底筒状体
３    蓋
３ａ  一端側蓋部分
３ｂ  他端側蓋部分
４    枢支部
５    ごみ
６    耳部
７    貫通孔
８    部分
９    枢支ピン
１０    枢支ピン
１１ａ  辺
１１ｂ  辺
１２ａ  切欠け溝
１２ｂ  突片
１３    枢支ピン
１４ａ  枢支ピン
１４ｂ  枢支ピン
１５ａ  孔
１５ｂ  孔
１６    孔
【図１】
0003995973.tif 000002
【図２】
0003995973.tif 000003
【図３】
0003995973.tif 000004
【図４】
0003995973.tif 000005
【図５】
0003995973.tif 000006
【図６】
0003995973.tif 000007
【図７】
0003995973.tif 000008
【図８】
0003995973.tif 000009
【図９】
0003995973.tif 000010
【図１０】
0003995973.tif 000011
【図１１】
0003995973.tif 000012